(57)【要約】【課題】側頭部及び後頭部だけでなく前頭部も保護できるエアバッグを同時展開可能なエアバッグ装置を得る。【解決手段】エアバッグ装置１００は、エアバッグ収納具１０１と、鍔部１０２と、あご紐１０３と、エアバッグ１０４と、機器収納部１０５と、を備えている。エアバッグ収納具１０１は、頭部に装着可能な頭に被るタイプのものであり、表面生地と裏面生地とを有している。また、エアバッグ収納具１０１の前方部には、日差しよけとして使用可能な鍔部１０２が設けられている。エアバッグ１０４は、ナイロン製、ＰＥＴ製、又は、布部材を縫合して形成されたものであり、利用者Ｕ１の前頭部を被覆可能な前頭部被覆部１０４ａと、利用者Ｕ１の左右の側頭部を被覆可能な左右一対の側頭部被覆部１０４ｂと、利用者Ｕ１の後頭部を被覆可能な後頭部被覆部１０４ｃと、利用者Ｕ１の頭頂部を被覆可能な頭頂部被覆部１０４ｄとを、有している。【選択図】図１
2017057540.tif 000002
【特許請求の範囲】
【請求項１】
利用者の身体の一部を保護可能なエアバッグ装置であって、
収納具と、
前記収納具に収納され、膨張時に、前記利用者の少なくとも前頭部、側頭部、及び後頭部と障害物との間を所定距離離すように同時展開可能なエアバッグと、
前記収納具内に設けられ、前記エアバッグを膨張させる流体を前記エアバッグ内に放出可能なガス発生器と、
前記収納具内に設けられ、所定条件を満たした際に前記ガス発生器を作動させる制御を行う制御部と、
を備えていることを特徴とするエアバッグ装置。
【請求項２】
前記エアバッグが、膨張時に、前記利用者の前頭部、側頭部、及び後頭部を被覆するように同時展開可能な前頭部被覆部、側頭部被覆部、及び後頭部被覆部を少なくとも有したものであることを特徴とする請求項１に記載のエアバッグ装置。
【請求項３】
前記収納具が、前記利用者の頭部に着脱可能な頭に被るタイプの収納具であり、
前記エアバッグが、膨張時に、さらに前記利用者の頭頂部も被覆するように展開可能な頭頂部被覆部を有していることを特徴とする請求項２に記載のエアバッグ装置。
【請求項４】
前記エアバッグが、膨張時に、さらに前記利用者の首周り部も被覆するように展開可能な首周り部被覆部を有していることを特徴とする請求項２又は３に記載のエアバッグ装置。
【請求項５】
前記収納具が、前記利用者の両肩及び首の後部に固定可能な略Ｕ字状収納具であり、
前記エアバッグが、膨張時に、リング状に展開可能なリング状被覆部を有していることを特徴とする請求項２に記載のエアバッグ装置。
【請求項６】
前記収納具が、前記利用者の首周り部の下部に載置する円盤状の収納具であり、
前記エアバッグが、膨張時に、リング状に展開可能なリング状被覆部を有していることを特徴とする請求項１に記載のエアバッグ装置。
【請求項７】
前記収納具が、前記利用者の背中に背負うことが可能な背負式収納具であり、
前記エアバッグが、膨張時に、さらに前記利用者の顔面部も被覆するように展開可能な顔面部被覆部を有していることを特徴とする請求項２に記載のエアバッグ装置。
【請求項８】
前記エアバッグが、膨張時に、前記利用者の顔面部のうち鼻及び口を結ぶ線上部分を露出するように形成された直線状の切り欠き部を有した略筒形状に展開可能なものであることを特徴とする請求項７に記載のエアバッグ装置。
【請求項９】
前記制御部が、前記収納具に取り付けられたセンサによって検出された情報を基に、前記エアバッグ内への前記放出を制御するトリガー装置を有していることを特徴とする請求項１〜８のいずれか１項に記載のエアバッグ装置。
【請求項１０】
前記前頭部被覆部と前記側頭部被覆部と前記後頭部被覆部との内部空間同士が連通していることを特徴とする請求項２〜９のいずれか１項に記載のエアバッグ装置。
【発明の詳細な説明】
【技術分野】
【０００１】
本発明は、利用者の身体の一部を保護可能なエアバッグ装置に関する。
【背景技術】
【０００２】
下記特許文献１、２に代表されるように、従来から、利用者の身体の一部を保護可能なエアバッグ装置は公知となっている。なお、特許文献１のエアバッグ装置は、ユーザの異常な運動、例えば落下または衝突の場合に、前記ユーザの身体の一部を保護するシステムであって、前記システムは、ユーザが首のまわりにまとう衣類としてのカラーと前記カラーに配置されたエアバッグと、前記エアバッグを膨張させるための流体を放出するインフレータと、前記インフレータを制御するための制御手段と、前記エアバッグは、膨張の後に前記ユーザの首部および後頭部をとり囲むように適合可能な第１部と、前記膨張の後に前記ユーザの頭蓋骨をとり囲むフードを形成するように適合可能な第２部と、を有し、前記第１部および前記第２部は、前記膨張の前は折り畳まれて前記カラーに配置され、前記第１部は前記第２部の前記膨張の前に膨張するように適合しており、前記インフレータは、前記カラーの内側に配置されること、を特徴とするものである。
【０００３】
特許文献２のエアバッグ装置は、背負い式収納具に設けられる頭巾型エアバッグを有したエアバッグ装置であって、当該頭巾型エアバッグは、複数のガス室にガスを充填することで、利用者の後頭部、側頭部、及び頭上部にそれぞれ被される後頭部被覆部、側頭部被覆部、及び頭上部被覆部が膨張状態で形成される構造であり、前記ガス室にガスを充填する前の状態において、前記側頭部被覆部及び前記頭上部被覆部を、前記後頭部被覆部の上に折り畳んで重ねた状態で、前記背負い式収納具の上部に設けられ、前記後頭部被覆部に、ガスの流入口を有するガス導入部が設けられることを特徴とするものである。
【先行技術文献】
【特許文献】
【０００４】
【特許文献１】特許第５０６４４０３号公報
【特許文献２】特開２０１４−２３０６６５号公報
【発明の概要】
【発明が解決しようとする課題】
【０００５】
しかしながら、上記特許文献１のエアバッグ装置においては、利用者の側頭部及び後頭部にエアバッグを展開した後に、前頭部に対してエアバッグを展開するものであるので、迅速に前頭部を保護することができるものではなかった。また、上記特許文献２のエアバッグ装置においては、前頭部を保護することができないものであった。
【０００６】
そこで、本発明は、側頭部及び後頭部だけでなく前頭部も保護できるエアバッグを同時展開可能なエアバッグ装置を提供することを目的とする。
【課題を解決するための手段】
【０００７】
（１）  本発明は、利用者の身体の一部を保護可能なエアバッグ装置であって、収納具と、前記収納具に収納され、膨張時に、前記利用者の少なくとも前頭部、側頭部、及び後頭部と障害物との間を所定距離離すように同時展開可能なエアバッグと、前記収納具内に設けられ、前記エアバッグを膨張させる流体を前記エアバッグ内に放出可能なガス発生器と、前記収納具内に設けられ、所定条件を満たした際に前記ガス発生器を作動させる制御を行う制御部と、を備えていることを特徴とする。
【０００８】
上記（１）の構成によれば、エアバッグ装置の作動時に、障害物と、利用者の少なくとも前頭部、側頭部、及び後頭部とが直接接触しないようにすることができる。特に、転倒などした際に、咄嗟に手をつくことができなかった場合などにおいて、地面等と、利用者の少なくとも前頭部、側頭部、及び後頭部とが直接接触しないようにすることができる。
【０００９】
（２）  上記（１）のエアバッグ装置においては、前記エアバッグが、膨張時に、前記利用者の前頭部、側頭部、及び後頭部を被覆するように同時展開可能な前頭部被覆部、側頭部被覆部、及び後頭部被覆部を少なくとも有したものであることが好ましい。
【００１０】
上記（２）の構成によれば、エアバッグ装置の作動時に、側頭部及び後頭部だけでなく、前頭部も同時に被覆することができるので、側頭部、後頭部、前頭部を同時に障害物から保護することができる。特に、従来のように側頭部及び後頭部を保護するだけでなく、前頭部をも迅速に覆うことで、例えば、前に向かって転倒した際、咄嗟に手をつくことができなかった場合などにおいて、前頭部を保護するのに有効である。
【００１１】
（３）  上記（２）のエアバッグ装置においては、前記収納具が、前記利用者の頭部に着脱可能な頭に被るタイプの収納具であり、前記エアバッグが、膨張時に、さらに前記利用者の頭頂部も被覆するように展開可能な頭頂部被覆部を有していることが好ましい。
【００１２】
上記（３）の構成によれば、作動前から首に巻いて装着するものではないので、従来品のような平常使用時の首への圧迫感がない。また、解放感(通気性)もよく、身に着けていることが苦にならない。また、簡単に利用者の頭部に装着することができるので、使い勝手が非常によい。また、頭頂部も被覆することが容易であるので、頭部全体を保護することができる。
【００１３】
（４）  上記（３）のエアバッグ装置においては、前記エアバッグが、膨張時に、さらに前記利用者の首周り部も被覆するように展開可能な首周り部被覆部を有していることが好ましい。
【００１４】
上記（４）の構成によれば、利用者の首周り部も被覆することができるので、利用者の首周りも保護できる。また、例えば、エアバッグの作動時に、利用者の首周り部を固定することも可能であるので、いわゆる鞭打ち症状にもなりにくくすることができる。
【００１５】
（５）  他の観点として、上記（１）又は（２）のエアバッグ装置においては、前記収納具が、前記利用者の両肩及び首の後部に固定可能な略Ｕ字状収納具であり、前記エアバッグが、膨張時に、さらに前記利用者の顔面部も被覆するように展開可能な顔面部被覆部を有しているものであってもよい。
【００１６】
上記（５）の構成によれば、作動前から首に巻いて装着するものではないので、従来品のような平常使用時の首への圧迫感がない。また、解放感(通気性)もよく、身に着けていることが苦にならない。また、利用者の顔面部も覆うので、前に向かって転倒などした際に、咄嗟に手をつくことができなかった場合などにおいて顔面部を保護するのに有効である。
【００１７】
（６）  さらに他の観点として、上記（１）のエアバッグ装置においては、前記収納具が、前記利用者の首周り部の下部に載置する円盤状の収納具であり、前記エアバッグが、膨張時に、リング状に展開可能なリング状被覆部を有しているものであってもよい。
【００１８】
上記（６）の構成によれば、作動前から首に巻いて装着するものではないので、従来品のような平常使用時の首への圧迫感がない。また、解放感(通気性)もよく、身に着けていることが苦にならない。また、首周り部だけが膨張するエアバッグであるので、利用者の顔面部のうち鼻及び口が露出されており、一瞬でも息ができないということがなく、利用者に不安を与えることがないようにすることができる。
【００１９】
（７）  別の観点として、上記（２）のエアバッグ装置においては、前記収納具が、前記利用者の背中に背負うことが可能な背負式収納具であり、前記エアバッグが、膨張時に、さらに前記利用者の顔面部も被覆するように展開可能な顔面部被覆部を有しているものであってもよい。
【００２０】
上記(７)の構成によれば、作動前から首に巻いて装着するものではないので、従来品のような平常使用時の首への圧迫感がない。また、解放感(通気性)もよく、身に着けていることが苦にならない。また、利用者の顔面部も覆うので、前に向かって転倒などした際に、咄嗟に手をつくことができなかった場合などにおいて顔面部を保護するのに有効である。
【００２１】
（８）  上記（５）又は（７）のエアバッグ装置においては、前記エアバッグが、膨張時に、前記利用者の顔面部のうち鼻及び口を結ぶ線上部分を露出するように形成された直線状の切り欠き部を有した略筒形状に展開可能なものであることが好ましい。
【００２２】
上記（８）の構成によれば、エアバッグの作動時において、利用者の顔面部のうち鼻及び口が露出されているので、一瞬でも息ができないということがなく、利用者に不安を与えることがないようにすることができる。
（９）  上記（１）〜（８）のエアバッグ装置においては、前記制御部が、前記収納具に取り付けられたセンサによって検出された情報を基に、前記エアバッグ内への前記放出を制御するトリガー装置を有していることが好ましい。
【００２３】
上記（９）の構成によれば、精度よくエアバッグを展開することができる。
【００２４】
（１０）  上記（１）〜（９）のエアバッグ装置においては、前記前頭部被覆部と前記側頭部被覆部と前記後頭部被覆部との内部空間同士が連通していることが好ましい。
【００２５】
上記(１０)の構成によれば、前頭部被覆部、側頭部被覆部、後頭部被覆部のいずれか１つにガス発生器からガスを流入させるだけで、エアバッグ全体を膨張させることができる。
【図面の簡単な説明】
【００２６】
【図１】本発明の第１実施形態に係るエアバッグ装置を利用者の頭部に装着した状態を示す図であって、（ａ）はエアバッグ展開前の前方斜視図、（ｂ）はエアバッグ展開後の前方斜視図、（ｃ）はエアバッグ展開後の後方斜視図、（ｄ）はエアバッグ展開後の後方斜視図である。
【図２】図１に示したエアバッグ装置の概略構成図である。
【図３】第１実施形態の変形例１に係るエアバッグ装置を利用者の頭部に装着した状態を示す図であって、（ａ）はエアバッグ展開前の前方斜視図、（ｂ）はエアバッグ展開後の前方斜視図、（ｃ）はエアバッグ展開後の後方斜視図、（ｄ）はエアバッグ展開後の後方斜視図である。
【図４】第１実施形態の変形例２に係るエアバッグ装置を利用者の頭部に装着した状態を示す図であって、（ａ）はエアバッグ展開後の前方斜視図、（ｂ）はエアバッグ展開後の後方斜視図である。
【図５】第１実施形態の変形例３に係る図エアバッグ装置を利用者の頭部に装着した状態を示すであって、（ａ）はエアバッグ展開後の前方斜視図、（ｂ）はエアバッグ展開後の後方斜視図である。
【図６】本発明の第２実施形態に係るエアバッグ装置を利用者の両肩及び首の後部に装着した状態を示す図であって、（ａ）はエアバッグ展開前の前方斜視図、（ｂ）はエアバッグ展開後の前方斜視図である。
【図７】本発明の第３実施形態に係るエアバッグ装置を利用者の両肩及び首の後部に装着した状態を示す図であって、（ａ）はエアバッグ展開前の前方斜視図、（ｂ）はエアバッグ展開後の前方斜視図である。
【図８】本発明の第４実施形態に係るエアバッグ装置を利用者が背中に背負った状態を示す図であって、（ａ）はエアバッグ展開前の前方斜視図、（ｂ）はエアバッグ展開後の前方斜視図である。
【発明を実施するための形態】
【００２７】
＜第１実施形態＞
以下、図１を参照して、本発明の実施形態に係るエアバッグ装置について説明する。
【００２８】
（エアバッグ装置１００の構成）
図１に示すように、本実施形態におけるエアバッグ装置１００は、エアバッグ収納具１０１と、鍔部１０２と、あご紐１０３と、エアバッグ１０４と、機器収納部１０５と、を備えている。
【００２９】
エアバッグ収納具１０１は、頭に被るタイプのもの（例えば、ヘルメット、帽子、笠、頭巾など）であり、表面生地と裏面生地とを有している。また、エアバッグ収納具１０１の前方部には、日差しよけとして使用可能な鍔部１０２が設けられている。
【００３０】
あご紐１０３は、エアバッグ収納具１０１を利用者Ｕ１が装着した際、側頭部に両端部が位置するように、エアバッグ収納具１０１の両下端部に脱着可能に取り付けられている。なお、あご紐１０３は、ゴム、合成皮革、糸、など紐としてしようできるものならどのようなものであってもよい。また、あご紐１０３の中心に配線を施しておき、後述する充電式バッテリ１０８と電気的に接続されているエアバッグ収納具１０１の両下端部に設けた配線（図示せず）とあご紐１０３の両端部の配線とを電気的に接続した際（例えば、ボタン留による接続）、エアバッグ装置１００の電源がオンとなるようにしておいてもよい。
【００３１】
エアバッグ１０４は、ナイロン製、ＰＥＴ（ポリエチレンテレフタレート）製、又は、布部材を縫合して形成されたものであり、利用者Ｕ１の前頭部を被覆可能な前頭部被覆部１０４ａと、利用者Ｕ１の左右の側頭部を被覆可能な左右一対の側頭部被覆部１０４ｂと、利用者Ｕ１の後頭部を被覆可能な後頭部被覆部１０４ｃと、利用者Ｕ１の頭頂部を被覆可能な頭頂部被覆部１０４ｄとを、有している。図１（ｂ）、（ｄ）に示したように、膨張時の前頭部被覆部１０４ａは、前頭部を保護するように額からこめかみにかけて被覆するものである。また、膨張時の側頭部被覆部１０４ｂは、側頭部を保護するようにこめかみ周辺を被覆するものである。また、膨張時の後頭部被覆部１０４ｃは、後頭部を保護するように後頭部周辺なら首周り部の後方周辺までを被覆するものである。また、膨張時の頭頂部被覆部１０４ｄは、頭頂部を保護するように、一方のこめかみ周辺から他方のこめかみ周辺までの直線部分と、前頭部から後頭部までの直線部分と、を十文字形状に被覆するものである。
【００３２】
なお、エアバッグ１０４は、エアバッグ収納具１０１の表面生地と裏面生地との間に収納されている。具体的には、前頭部被覆部１０４ａ、側頭部被覆部１０４ｂ、及び頭頂部被覆部１０４ｄは、膨張時に対してしぼんだ状態で、エアバッグ収納具１０１の表面生地と裏面生地との間に挟み込まれるように収納されている。また、後頭部被覆部１０４ｃは、図１（ｂ）、（ｄ）の状態から上部へ巻き取ることによって、エアバッグ収納具１０１の後方下端部付近において、表面生地と裏面生地との間に挟み込まれるように収納されている。これにより、後頭部被覆部１０４ｃは、膨張時に、いわゆる「吹き戻し」と呼ばれるおもちゃのように展開することが可能である。なお、前頭部被覆部１０４ａ、側頭部被覆部１０４ｂ、後頭部被覆部１０４ｃ、及び頭頂部被覆部１０４ｄの内部空間は連通しており、例えば、後頭部被覆部１０４ｃの内部空間にガスを流入させれば、他の前頭部被覆部１０４ａ、側頭部被覆部１０４ｂ、及び頭頂部被覆部１０４ｄの内部空間にもガスが流入するようになっている。なお、エアバッグ１０４膨張前の表面生地は、半円球形状の表面生地を複数に分割した表面用生地からなっている。これらの表面用生地は、裏面生地とともにエアバッグ１０４を保持しつつ、エアバッグ１０４膨張時に切れてしまう糸（例えば、１本の糸、又は、比較的細い糸）などで、エアバッグ１０４を保持する部分の表面用生地同士が縫合されているとともに、該表面用生地の一部が裏面生地に縫い付けられ、エアバッグ１０４展開時にはエアバッグ１０４の周りで割れるように展開するようになっている。ここで、エアバッグ１０４の膨張前の表面生地は、以下のようなものであってもよい。すなわち、エアバッグ１０４の膨張前の表面生地は、半円球形状の表面生地を中央で２分割した四半円球形状の表面用生地からなっており、裏面生地とともにエアバッグ１０４を保持しつつ、エアバッグ１０４膨張時に切れてしまう糸（例えば、１本の糸、又は、比較的細い糸）などで、中央部分の表面用生地同士が縫合されているとともに、該表面用生地の端部の一部が裏面生地に縫い付けられ、エアバッグ１０４展開時にはエアバッグ１０４の左右で割れるように展開し、利用者の顔の左右に垂れ下がるようになっているものであってもよい。また、エアバッグ１０４膨張前の表面生地の構成の別の例として、エアバッグ１０４の膨張力によって吹き飛ばされるように、裏面生地に縫い付けられていても良い。
【００３３】
機器収納部１０５は、図１に示したように、エアバッグ収納具１０１の後部に設けられ、図２に示したように、センサ部１０６と、マイコン１０７と、充電式バッテリ１０８と、ガス発生器１０９と、を有している。
【００３４】
センサ部１０６は、３軸加速度センサ１０６ａと、角速度センサ１０６ｂと、を有しており、利用者Ｕ１の頭部の加速度、角速度を検出するとともに、検出した該加速度、該角速度の情報をマイコン１０７へ送信することができるようになっている。ここで、一変形例として、図１に示したように、例えば、鍔部１０２の中央部１１２などに、センサ部１０６を設けてもよい。
【００３５】
マイコン１０７は、動作制御部１０７ａを有している。動作制御部１０７ａは、センサ部１０６から受信した利用者Ｕ１の頭部の加速度、角速度の情報を基に、利用者Ｕ１が転倒又は転落につながる異常な動作であるかどうかを判定し、利用者Ｕ１が転倒又は転落につながる異常な動作であると判定した場合、リチウムイオン電池などの充電式バッテリ１０８からの電力をガス発生器１０９に供給し、ガス発生器１０９を作動させるものである。      
【００３６】
ガス発生器１０９は、パイロ方式（シリンダ型）（図１には図示せず）のものを用いている。なお、ガス発生器１０９には、どの方式のガス発生器を用いてもよいが、軽量化・小型化の観点から、パイロ方式を選択することが好ましい。
【００３７】
ガス発生器１０９の内部には、ガス発生剤が充填されている。ガス発生剤は、ガス発生器１０９内の点火器（図示せず）が作動することによって生じた熱粒子によって着火され、燃焼することによってガスを発生させる薬剤である。ガス発生剤としては、非アジド系ガス発生剤を用いることが好ましく、一般に燃料と酸化剤と添加剤とを含む成形体としてガス発生剤が形成される。燃料としては、たとえばトリアゾール誘導体、テトラゾール誘導体、グアニジン誘導体、アゾジカルボンアミド誘導体、ヒドラジン誘導体等又はこれらの組み合わせが利用される。具体的には、たとえばニトログアニジン、硝酸グアニジン、シアノグアニジン、５−アミノテトラゾール等が好適に利用される。また、酸化剤としては、たとえば塩基性硝酸銅等の塩基性硝酸塩、過塩素酸アンモニウム、過塩素酸カリウム等の過塩素酸塩、又は、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。また、添加剤としては、バインダ、スラグ形成剤、燃焼調整剤等が挙げられる。バインダとしては、たとえばカルボキシメチルセルロースの金属塩、ステアリン酸塩等の有機バインダ、又は、合成ヒドロキシタルサイト、酸性白土等の無機バインダが好適に利用可能である。スラグ形成剤としては窒化珪素、シリカ、酸性白土等が好適に利用可能である。また、燃焼調整剤としては、金属酸化物、フェロシリコン、活性炭、グラファイト等が好適に利用可能である。
【００３８】
また、ガス発生剤の成形体の形状には、顆粒状、ペレット状、円柱状等の粒状のもの、ディスク状のものなど様々な形状のものがある。また、円柱状のものでは、成形体内部に貫通孔を有する有孔状（たとえば単孔筒形状又は多孔筒形状等）の成形体も利用される。これらの形状は、エアバッグ装置１００が組み込まれるエアバッグ装置の仕様に応じて適宜選択されることが好ましく、たとえばガス発生剤の燃焼時においてガスの生成速度が時間的に変化する形状を選択するなど、仕様に応じた最適な形状を選択することが好ましい。また、ガス発生剤の形状の他にもガス発生剤の線燃焼速度、圧力指数などを考慮に入れて成形体のサイズ及び充填量を適宜選択することが好ましい。
【００３９】
次に、図２を用いて、本実施形態におけるエアバッグ装置１００の作動時の動作について説明する。利用者の頭部に装着されたエアバッグ装置１００におけるセンサ部１０６の３軸加速度センサ１０６ａ及び角速度センサ１０６ｂによって検出された利用者Ｕ１の頭部の加速度、角速度の情報は、常にマイコン１０７の動作制御部１０７ａに送信されている。この利用者Ｕ１の頭部の加速度、角速度の情報から、異常動作であると判断された場合、動作制御部１０７ａは、利用者Ｕ１が転倒又は転落すると判定する。この判定と同時に、動作制御部１０７ａは、トリガーとなって、充電式バッテリ１０８からの電力をガス発生器１０９に供給し、ガス発生器１０９を作動させる。ガス発生器１０９内でガス発生剤が燃焼し、ガスを発生させ、このガスが機器収納部１０５内からエアバッグ１０４内に供給される。これにより、エアバッグ１０４（前頭部被覆部１０４ａ、側頭部被覆部１０４ｂ、及び頭頂部被覆部１０４ｄ）が膨張し、図１（ｂ）、（ｄ）に示したようなヘッドギア型の膨張時のエアバッグ１０４（前頭部被覆部１０４ａ、側頭部被覆部１０４ｂ、及び頭頂部被覆部１０４ｄ）を形成する。
【００４０】
（エアバッグ装置１００の主な特徴）
本実施形態によれば、利用者が転倒又は転落しそうになり、エアバッグ装置１００が作動した場合、利用者の頭頂部、側頭部及び後頭部だけでなく、前頭部も同時に被覆することができるので、頭頂部、側頭部、後頭部、前頭部を同時に障害物から保護することができる。特に前頭部を迅速に覆うことで、前に向かって転倒などした際に、咄嗟に手をつくことができなかった場合などにおいて前頭部を保護するのに有効である。
【００４１】
また、利用者の頭部に着脱可能な頭に被るタイプのエアバッグ収納具１０１を用いているので、簡単に利用者の頭部に装着することができ、使い勝手が非常によい。
【００４２】
＜第１実施形態の変形例１＞
次に、図３を用いて、上記第１実施形態の変形例１に係るエアバッグ装置について説明する。なお、第１実施形態と符号の下二桁が同じ数字の符号の部位は、第１実施形態とほぼ同様のものであるので、説明を省略することがある。
【００４３】
本変形例１に係るエアバッグ装置２００は、（１）エアバッグ収納具２０１に、利用者Ｕ２の後頭部の下部及び首の後部に当たる太陽光を遮断するための日除け部２０１ａが設けられている点、（２）膨張時に、利用者Ｕ２の首周り部を被覆する短筒状の首周り部被覆部２０４ｅが、エアバッグ２０４の一部として、日除け部２０１ａの内側下部に設けられている点、（３）機器収納部２０５が日除け部２０１ａの下部に設けられている点で、第１実施形態と異なっている。なお、首周り部被覆部２０４ｅの前方部には切り欠き部分を設けて、利用者Ｕ２の口を塞がないようにしている。また、首周り部被覆部２０４ｅの内部空間は、前頭部被覆部２０４ａ、側頭部被覆部２０４ｂ、後頭部被覆部２０４ｃ、及び頭頂部被覆部２０４ｄの内部空間と連通しており、例えば、後頭部被覆部２０４ｃの内部空間に機器収納部２０５からガスを流入させれば、他の前頭部被覆部２０４ａ、側頭部被覆部２０４ｂ、頭頂部被覆部２０４ｄ、及び首周り部被覆部２０４ｅの内部空間にもガスが流入するようになっている。ここで、本変形例１の作用効果としては、利用者Ｕ２の首周り部も被覆することができるので、利用者Ｕ２の首周りも保護できる。また、例えば、エアバッグ装置２００の作動時に、いわゆる鞭打ち症状にもなりにくくすることができる。他は、第１実施形態と同様であるので、説明を省略する。
【００４４】
＜第１実施形態の変形例２＞
次に、図４を用いて、上記第１実施形態の変形例２に係るエアバッグ装置について説明する。なお、第１実施形態と符号の下二桁が同じ数字の符号の部位は、第１実施形態とほぼ同様のものであるので、説明を省略することがある。
【００４５】
本変形例２に係るエアバッグ装置３００は、（１）膨張時に、利用者Ｕ３の額から後頭部にかけて、前頭部被覆部３０４ａと頭頂部被覆部３０４ｄ１とが一体となった直線状のエアバッグ部分を有するエアバッグ３０４が形成されている点、（２）一対の側頭部被覆部３０４ｂのそれぞれと、頭頂部被覆部３０４ｄ１との間に、前頭部被覆部３０４ａと頭頂部被覆部３０４ｄ１とが一体となった直線状のエアバッグ部分に沿うように形成された直線状の頭頂部被覆部３０４ｄ２、３０４ｄ３が設けられている点で、第１実施形態と異なっている。なお、頭頂部被覆部３０４ｄ１、３０４ｄ２、３０４ｄ３の内部空間は、前頭部被覆部３０４ａ、側頭部被覆部３０４ｂ、及び後頭部被覆部３０４ｃの内部空間と連通しており、例えば、後頭部被覆部３０４ｃの内部空間にガス発生器を含む機器収納部（例えば、エアバッグ装置３００後頭部に設けたもの）からガスを流入させれば、他の前頭部被覆部３０４ａ、側頭部被覆部３０４ｂ、及び頭頂部被覆部３０４ｄ１、３０４ｄ２、３０４ｄ３の内部空間にもガスが流入するようになっている。ここで、作用効果は、第１実施形態と同様であるので、説明を省略する。
【００４６】
＜第１実施形態の変形例３＞
次に、図５を用いて、上記第１実施形態の変形例３に係るエアバッグ装置について説明する。なお、第１実施形態、第１実施形態の変形例１，２と符号の下二桁が同じ数字の符号の部位は、第１実施形態、第１実施形態の変形例１，２とほぼ同様のものであるので、説明を省略することがある。
【００４７】
本変形例３に係るエアバッグ装置４００は、（１）エアバッグ収納具（図示せず）に、利用者Ｕ４の後頭部の下部及び首の後部に当たる太陽光を遮断するための日除け部４０１ａが設けられている点、（２）膨張時に、利用者Ｕ４の首周り部を被覆する短筒状の首周り部被覆部４０４ｅが、エアバッグ４０４の一部として、日除け部４０１ａの内側下部に設けられている点、（３）機器収納部（図示せず）が日除け部４０１ａの下部に設けられている点、（４）膨張時に、利用者Ｕ４の額から後頭部にかけて、前頭部被覆部４０４ａと頭頂部被覆部４０４ｄ１とが一体となった直線状のエアバッグ部分を有するエアバッグ４０４が形成されている点、（５）一対の側頭部被覆部４０４ｂのそれぞれと、頭頂部被覆部４０４ｄ１との間に、前頭部被覆部４０４ａと頭頂部被覆部４０４ｄ１とが一体となった直線状のエアバッグ部分に沿うように形成された直線状の頭頂部被覆部４０４ｄ２、４０４ｄ３が設けられている点で、第１実施形態と異なっている。ここで、作用効果は、第１実施形態、第１実施形態の変形例１，２と同様であるので、説明を省略する。
【００４８】
＜第２実施形態＞
次に、図６を用いて、第２実施形態に係るエアバッグ装置について説明する。なお、第１実施形態と同様の部位については、説明を省略することがある。
【００４９】
本実施形態に係るエアバッグ装置５００は、略Ｕ字状のエアバッグ収納具５０１と、エアバッグ収納具５０１を利用者Ｕ５に固定可能な固定具５０２と、を備えている。
【００５０】
エアバッグ収納具５０１は、肩部５０１ａ、５０１ｂと、後部５０１ｃとを有し、膨張時に、利用者Ｕ５の顔面部のうち鼻及び口を結ぶ線上部分を露出するように形成された直線状の切り欠き部５０５を有した略筒形状に展開可能なエアバッグ５０４を、折りたたんだ状態で内部に収納することができるものである。ここで、エアバッグ５０４は、前頭部の一部だけでなく、顔面部を保護するように被覆する顔面部被覆部でもある前頭部被覆部５０４ａと、側頭部被覆部５０４ｂと、後頭部被覆部５０４ｃと、を有している。また、図示しないが、後部５０１ｃには、第１実施形態における機器収納部１０５と同様の機器収納部が設けられており、該機器収納部には、第１実施形態と同様のセンサ部、マイコン、充電式バッテリ、ガス発生器が内蔵されている。
【００５１】
固定具５０２は、利用者Ｕ５の上半身に取り付け可能なベルト５０２ａを有し、ベルト５０２ａに取り付けられたバックル５０２ｂによって、利用者Ｕ５の肩部に載置するようにエアバッグ収納具５０１を固定できるようにしたものである。なお、ベルト５０２ａ内に、前述の充電式バッテリと接続されているエアバッグ収納具５０１内に設けた配線（図示せず）と接続されている配線を設けておき、バックル５０２ｂを固定した際に電気が流れて、エアバッグ装置１００の電源がオンとなるようにしておいてもよい。
【００５２】
ここで、作用効果は、ほぼ第１実施形態と同様であり、ガス発生器の作動によりエアバッグ５０４が膨張するが、エアバッグ装置５００の作動時において、利用者Ｕ５の顔面部のうち鼻及び口が露出されているので、一瞬でも息ができないということがなく、利用者Ｕ５に不安を与えることがないようにすることができる。
【００５３】
＜第３実施形態＞
次に、図７を用いて、第３実施形態に係るエアバッグ装置について説明する。なお、第１実施形態と同様の部位については、説明を省略することがある。
【００５４】
本実施形態に係るエアバッグ装置６００は、利用者Ｕ６の首周り部の下部に載置する円盤状のエアバッグ収納具６０１を有している。このエアバッグ収納具６０１の内部には、膨張時に、リング状に展開して利用者Ｕ６の首周り部を被覆するリング状被覆部となるエアバッグ６０４が折り畳まれた状態で収納されている。なお、図示しないが、エアバッグ収納具６０１の内部には、第１実施形態における機器収納部１０５と同様の機器収納部が設けられており、該機器収納部には、第１実施形態と同様のセンサ部、マイコン、充電式バッテリ、ガス発生器が内蔵されている。
【００５５】
ここで、作用効果は、ほぼ第１実施形態と同様であり、ガス発生器の作動によりエアバッグ６０４が膨張するが、これにより、エアバッグ装置６００の作動時において、利用者の少なくとも前頭部、側頭部、及び後頭部と障害物との間を所定距離離すことができ、利用者の少なくとも前頭部、側頭部、及び後頭部とが障害物に直接接触しないようにすることができる。
【００５６】
＜第４実施形態＞
次に、図８を用いて、第４実施形態に係るエアバッグ装置について説明する。なお、第１実施形態及び第２実施形態と同様の部位については、説明を省略することがある。
【００５７】
本実施形態に係るエアバッグ装置７００は、背負式のエアバッグ収納具７０１と、エアバッグ収納具７０１を利用者Ｕ７に固定可能な固定具７０２と、を備えている。
【００５８】
エアバッグ収納具７０１は、肩部７０１ａ、７０１ｂと、後部７０１ｃとを有し、膨張時に、利用者Ｕ７の顔面部のうち鼻及び口を結ぶ線上部分を露出するように形成された直線状の切り欠き部７０５を有した略筒形状に展開可能なエアバッグ７０４を、折りたたんだ状態で内部に収納することができるものである。ここで、エアバッグ７０４は、前頭部の一部だけでなく、顔面部を保護するように被覆する顔面部被覆部でもある前頭部被覆部７０４ａと、側頭部被覆部７０４ｂと、後頭部被覆部７０４ｃと、を有している。また、図示しないが、エアバッグ収納具７０１には、第１実施形態における機器収納部１０５と同様の機器収納部が設けられており、該機器収納部には、第１実施形態と同様のセンサ部、マイコン、充電式バッテリ、ガス発生器が内蔵されている。
【００５９】
ここで、作用効果は、ほぼ第１実施形態及び第２実施形態と同様であり、ガス発生器の作動によりエアバッグ７０４が膨張するが、エアバッグ装置７００の作動時において、利用者Ｕ７の顔面部のうち鼻及び口が露出されているので、一瞬でも息ができないということがなく、利用者Ｕ７に不安を与えることがないようにすることができる。
【００６０】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味及び範囲内でのすべての変更が含まれる。
【符号の説明】
【００６１】
１００、２００、３００、４００、５００、６００、７００    エアバッグ装置
１０１、２０１、５０１、６０１、７０１    エアバッグ収納具
１０２、２０２、３０２、４０２    鍔部
１０３、２０３、３０３、４０３    あご紐
１０４、２０４、３０４、４０４、５０４、６０４、７０４    エアバッグ
１０４ａ、２０４ａ、３０４ａ、４０４ａ、５０４ａ、７０４ａ    前頭部被覆部
１０４ｂ、２０４ｂ、３０４ｂ、４０４ｂ、５０４ｂ、７０４ｂ    側頭部被覆部
１０４ｃ、２０４ｃ、３０４ｃ、４０４ｃ、５０４ｃ、７０４ｃ    後頭部被覆部
１０４ｄ、２０４ｄ、３０４ｄ１、３０４ｄ２、３０４ｄ３、４０４ｄ１、４０４ｄ２、４０４ｄ３    頭頂部被覆部
１０５、２０５    機器収納部
１０６    センサ部
１０６ａ    ３軸加速度センサ
１０６ｂ    角速度センサ
１０７    マイコン
１０７ａ    動作制御部
１０８    充電式バッテリ
１０９    ガス発生器
１１２    中央部
２０１ａ、４０１ａ    日除け部
２０４ｅ、４０４ｅ    首周り部被覆部
５０１ａ、５０１ｂ、７０１ａ、７０１ｂ    肩部
５０１ｃ、７０１ｃ    後部
５０２、７０２    固定具
５０２ａ    ベルト
５０２ｂ    バックル
５０５、７０５    切り欠き部
Ｕ１、Ｕ２、Ｕ３、Ｕ４、Ｕ５、Ｕ６、Ｕ７    利用者
【図１】
2017057540.tif 000003
【図２】
2017057540.tif 000004
【図３】
2017057540.tif 000005
【図４】
2017057540.tif 000006
【図５】
2017057540.tif 000007
【図６】
2017057540.tif 000008
【図７】
2017057540.tif 000009
【図８】
2017057540.tif 000010